【手続補正書】
【提出日】平成25年8月5日(2013.8.5)
【手続補正１】
【補正対象書類名】特許請求の範囲
【補正対象項目名】全文
【補正方法】変更
【補正の内容】
【特許請求の範囲】
【請求項１】
インクを吐出する複数のノズルが所定方向に配列されることでそれぞれ構成される第１のノズル列と第２のノズル列とが前記所定方向と交差する方向に並べて配置された記録ヘッドに対して記録媒体を前記所定方向と交差する方向に相対的に搬送させながら、前記第１のノズル列と前記第２のノズル列とにおける各ノズルからインクを吐出させて前記記録媒体上に記録を行う記録装置であって、
前記記録媒体を前記所定方向と交差する方向に搬送させながら、前記第１のノズル列における一部の範囲に設けられた複数のノズルからインクを吐出することにより前記記録媒体に形成される第１のパターンと、前記第１のノズル列における一部の範囲に対して前記所定方向に互いに重なり合わない前記第２のノズル列における一部の範囲に設けられた複数のノズルからインクを吐出することにより前記記録媒体に形成される第２のパターンとが、前記所定方向に互いに離れて並んで記録されるように前記記録ヘッドを制御する記録制御手段と、
複数の読取素子が前記所定方向に配置され、かつ前記複数の読取素子による読取幅が前記所定方向に関して少なくとも前記第１のパターンと前記第２のパターンとを含むように構成されたセンサを用い、前記記録媒体を前記所定方向と交差する方向に相対的に搬送させて、前記第１のパターンと前記第の２パターンとをそれぞれ読み取る読取手段と、
前記読取手段により読み取られた前記第１のパターンと前記第２のパターンとの前記所定方向と交差する方向に関する相対位置に基づいて、前記第１のノズル列による記録位置と前記第２のノズル列による記録位置との前記所定方向と交差する方向における相対的な位置関係を決定する決定手段と、
を具備することを特徴とする記録装置。
【請求項２】
前記第１のパターンおよび前記第２のパターンは、ランダムに配置された複数のドットをそれぞれ含む、ことを特徴とする請求項１に記載の記録装置。
【請求項３】
前記第１のパターンおよび前記第２のパターンは、同一のパターンで形成されている、ことを特徴とする請求項１又は２に記載の記録装置。
【請求項４】
前記決定手段は、前記第１のパターンと前記第２のパターンとのパターンマッチングによりそれらの前記所定方向と交差する方向における相対位置を取得し、当該相対位置に基づいて、前記第１のノズル列による記録位置と前記第２のノズル列による記録位置との前記所定方向と交差する方向における相対的な位置関係を決定する、ことを特徴とする請求項３に記載の記録装置。
【請求項５】
前記第１のパターンおよび前記第２のパターンは、それぞれ矩形の形状である、ことを特徴とする請求項１乃至４のうちいずれか１項に記載の記録装置。
【請求項６】
前記第１のノズル列における複数のノズルと前記第２のノズル列における複数のノズルとは、互いに同じ色のインクを吐出する、ことを特徴とする請求項１乃至５のうちいずれか１項に記載の記録装置。
【請求項７】
前記第１のノズル列における複数のノズルと前記第２のノズル列における複数のノズルとは、互いに異なる色のインクを吐出する、ことを特徴とする請求項１乃至５のうちいずれか１項に記載の記録装置。
【請求項８】
前記第１のノズル列と前記第２のノズル列とは、それぞれにおける一部のノズルが前記所定方向において互いに重複するように、前記所定方向にずらして配置されている、ことを特徴とする請求項１乃至７のうちいずれか１項に記載の記録装置。
【請求項９】
前記決定手段は、前記第１のパターンと前記第２のパターンとの前記所定方向における相対位置に基づいて、前記第１のノズル列による記録位置と前記第２のノズル列による記録位置との前記所定方向における相対的な位置関係を決定する、ことを特徴とする請求項８に記載の記録装置。
【請求項１０】
前記決定手段は、前記第１のパターンと前記第２のパターンとの前記所定方向と交差する方向に関する相対位置に基づいて、前記第１のノズル列における複数のノズルによるインクの吐出と前記第２のノズル列における複数のノズルによるインクの吐出との相対的なタイミングを決定することにより、前記第１のノズル列による記録位置と前記第２のノズル列による記録位置との前記所定方向と交差する方向における相対的な位置関係を決定する、ことを特徴とする請求項１乃至９のうちいずれか１項に記載の記録装置。
【請求項１１】
インクを吐出する複数のノズルが所定方向に配列されることでそれぞれ構成される第１のノズル列と第２のノズル列とが前記所定方向と交差する方向に並べて配置された記録ヘッドに対して記録媒体を前記所定方向と交差する方向に相対的に搬送しながら、前記第１のノズル列と前記第２のノズル列とにおける各ノズルからインクを吐出させて前記記録媒体上に記録を行う記録方法であって、
前記記録媒体を前記所定方向と交差する方向に搬送しながら、前記第１のノズル列における一部の範囲に設けられた複数のノズルからインクを吐出することにより前記記録媒体に形成される第１のパターンと、前記第１のノズル列における一部の範囲に対して前記所定方向に互いに重なり合わない前記第２のノズル列における一部の範囲に設けられた複数のノズルからインクを吐出することにより前記記録媒体に形成される第２のパターンとを、前記所定方向に互いに離して並べて記録する工程と、
複数の読取素子が前記所定方向に配置され、かつ前記複数の読取素子による読取幅が前記所定方向に関して少なくとも前記第１のパターンと前記第２のパターンとを含むように構成されたセンサを用い、前記記録媒体を前記所定方向と交差する方向に相対的に搬送させて、前記第１のパターンと前記第の２パターンとをそれぞれ読み取る工程と、
前読み取られた前記第１のパターンと前記第２のパターンとの前記所定方向と交差する方向に関する相対位置に基づいて、前記第１のノズル列による記録位置と前記第２のノズル列による記録位置との前記所定方向と交差する方向における相対的な位置関係を決定する工程と、
を含むことを特徴とする記録方法。
【請求項１２】
前記第１のパターンおよび前記第２のパターンは、ランダムに配置された複数のドットをそれぞれ含む、ことを特徴とする請求項１１に記載の記録方法。
【請求項１３】
前記第１のパターンおよび前記第２のパターンは、同一のパターンで形成されている、ことを特徴とする請求項１１又は１２に記載の記録方法。
【請求項１４】
前記決定する工程では、前記第１のパターンと前記第２のパターンとのパターンマッチングによりそれらの前記所定方向と交差する方向における相対位置を取得し、当該相対位置に基づいて、前記第１のノズル列による記録位置と前記第２のノズル列による記録位置との前記所定方向と交差する方向における相対的な位置関係を決定する、ことを特徴とする請求項１３に記載の記録方法。
【請求項１５】
前記第１のパターンおよび前記第２のパターンは、それぞれ矩形の形状である、ことを特徴とする請求項１１乃至１４のうちいずれか１項に記載の記録方法。
【請求項１６】
前記第１のノズル列における複数のノズルと前記第２のノズル列における複数のノズルとは、互いに同じ色のインクを吐出する、ことを特徴とする請求項１１乃至１５のうちいずれか１項に記載の記録方法。
【請求項１７】
前記第１のノズル列における複数のノズルと前記第２のノズル列における複数のノズルとは、互いに異なる色のインクを吐出する、ことを特徴とする請求項１１乃至１５のうちいずれか１項に記載の記録方法。
【請求項１８】
前記第１のノズル列と前記第２のノズル列とは、それぞれにおける一部のノズルが前記所定方向において互いに重複するように、前記所定方向にずらして配置されている、ことを特徴とする請求項１１乃至１７のうちいずれか１項に記載の記録方法。
【請求項１９】
前記決定する工程では、前記第１のパターンと前記第２のパターンとの前記所定方向における相対位置に基づいて、前記第１のノズル列による記録位置と前記第２のノズル列による記録位置との前記所定方向における相対的な位置関係を決定する、ことを特徴とする請求項１８に記載の記録方法。
【請求項２０】
前記決定する工程では、前記第１のパターンと前記第２のパターンとの前記所定方向と交差する方向に関する相対位置に基づいて、前記第１のノズル列における複数のノズルによるインクの吐出と前記第２のノズル列における複数のノズルによるインクの吐出との相対的なタイミングを決定することにより、前記第１のノズル列による記録位置と前記第２のノズル列による記録位置との前記所定方向と交差する方向における相対的な位置関係を決定する、ことを特徴とする請求項１１乃至１９のうちいずれか１項に記載の記録方法。
【手続補正２】
【補正対象書類名】明細書
【補正対象項目名】発明の名称
【補正方法】変更
【補正の内容】
【発明の名称】記録装置及び記録方法
【手続補正３】
【補正対象書類名】明細書
【補正対象項目名】０００１
【補正方法】変更
【補正の内容】
【０００１】
本発明は、記録装置及び記録方法に関する。
【手続補正４】
【補正対象書類名】明細書
【補正対象項目名】０００９
【補正方法】変更
【補正の内容】
【０００９】
上記課題を解決するため、本発明の一態様は、インクを吐出する複数のノズルが所定方向に配列されることでそれぞれ構成される第１のノズル列と第２のノズル列とが前記所定方向と交差する方向に並べて配置された記録ヘッドに対して記録媒体を前記所定方向と交差する方向に相対的に搬送させながら、前記第１のノズル列と前記第２のノズル列とにおける各ノズルからインクを吐出させて前記記録媒体上に記録を行う記録装置であって、前記記録媒体を前記所定方向と交差する方向に搬送させながら、前記第１のノズル列における一部の範囲に設けられた複数のノズルからインクを吐出することにより前記記録媒体に形成される第１のパターンと、前記第１のノズル列における一部の範囲に対して前記所定方向に互いに重なり合わない前記第２のノズル列における一部の範囲に設けられた複数のノズルからインクを吐出することにより前記記録媒体に形成される第２のパターンとが、前記所定方向に互いに離れて並んで記録されるように前記記録ヘッドを制御する記録制御手段と、複数の読取素子が前記所定方向に配置され、かつ前記複数の読取素子による読取幅が前記所定方向に関して少なくとも前記第１のパターンと前記第２のパターンとを含むように構成されたセンサを用い、前記記録媒体を前記所定方向と交差する方向に相対的に搬送させて、前記第１のパターンと前記第の２パターンとをそれぞれ読み取る読取手段と、前記読取手段により読み取られた前記第１のパターンと前記第２のパターンとの前記所定方向と交差する方向に関する相対位置に基づいて、前記第１のノズル列による記録位置と前記第２のノズル列による記録位置との前記所定方向と交差する方向における相対的な位置関係を決定する決定手段と、を具備する。